(57)【要約】【課題】  小型軽量で安定性がよく、持ち運び用把手としても用いうる小型のカメラ用把手付三脚であって、特に多様な撮影姿勢を持たせることができるカメラ用把手付三脚を提供する。【解決手段】  天板１にＴ字孔２が穿鑿されており、天板１の先端に孔７を持つ前脚５が、天板１の後方に把手１１が掛け渡された後脚８が、それぞれ天板に対して回動可能に設けられていて、三脚ネジをＴ字孔２もしくは孔７を通してカメラ本体の三脚ネジ穴にネジ締めしてカメラ下面に装着し、把手７を握って持ち運びを行うとともに、前脚５と後脚８、もしくは後脚部でカメラを支持し三脚撮影を行う。【選択図】  図１
2006011324.tif 000002
【特許請求の範囲】
【請求項１】
天板と前脚部と後脚部からなる把手付三脚であって該前脚部は前脚と前脚ロック機構で形成され、該後脚部は後脚と後脚ロック機構と把手で形成されており、孔が設けられた該天板の一側面に１本の前記前脚と２本の前記後脚がそれぞれ回動可能に該天板に軸支されて備わっており、該後脚の回転軸が同一直線上に位置し該後脚に棒体が掛け渡されて前記把手となっており、該後脚に該後脚の開度を固定する前記後脚ロック機構が備えられており、該前脚に該前脚の開度を固定する前記前脚ロック機構が備えられており、前記前脚に孔が設けられていて、三脚ネジを前記天板もしくは前記前脚に設けられた前記孔に通してカメラ本体の三脚ネジ穴にネジ締めしてカメラ下面に装着し、前記天板にカメラを装着した場合は前記前脚および前記後脚が接地し、前記前脚にカメラを装着した場合は前記後脚部もしくは前記後脚部と前記天板の端部が接地してカメラを固定することを特徴とするカメラ用把手付三脚。
【請求項２】
前記後脚部もしくは前記天板のカメラを前記前脚に装着した場合に接地する部位に石突きが備わっていることを特徴とする請求項１に記載のカメラ用把手付三脚。
【請求項３】
前記後脚ロック機構が２本の前記後脚にそれぞれ１個ずつ備えられた締め込みネジであり、前記前脚にカメラを装着した際に前記後脚と該締め込みネジのネジ頭が接地してカメラを固定することを特徴とする請求項１に記載のカメラ用把手付三脚。
【請求項４】
前記天板に棒状の突起が固設されており、該突起の先端部に前記前脚が軸支されていることを特徴とする請求項１から３のいずれかに記載のカメラ用把手付三脚。
【請求項５】
前記天板がＴ字板であり前記孔が該Ｔ字板の形状に沿って設けられたＴ字孔であることを特徴とする請求項１から４のいずれかに記載のカメラ用把手付三脚。
【発明の詳細な説明】
【技術分野】
【０００１】
本発明は、カメラ用三脚、特に常時装着可能で持ち運び用把手としても用いうるカメラ用把手付三脚に関する。
【背景技術】
【０００２】
写真用カメラでの撮影に際し、セルフタイマーによる撮影、リモコン撮影や長時間露出撮影の際は三脚を用いるのが一般的である。
通常、カメラと三脚は取り外した状態で持ち運び、撮影時に三脚をカメラに装着して撮影を行っていた。しかし、通常の三脚は大きくて重いため携帯に不便である。また、撮影の度に取り付け、取り外ししなければならず、脱着作業が煩雑である。
【０００３】
そこで、本願出願人は既に特許文献１において常時取り付け可能な小型の三脚を開示している。
図６に示したように、Ｔ字板３０の両端に固定脚３１が、先端に調節脚３２が備わっており、調節脚３２はロック３３を備えて高さ調整ができるようになっており、Ｔ字孔３４の任意位置に三脚ネジを通してカメラ本体の三脚ネジ穴に取り付けるものである。開示発明のカメラ用三脚は小型で軽量なため常にカメラに取り付けておくことができ、三脚利用時は適当な台に載置するだけで三脚撮影が可能になるため、非常に便利に用いられている。
【０００４】
一方、カメラには通常持ち手が付いておらず、持ち運びに適さない形体であるものが多い。そこで、一般にはカメラ本体にストラップや肩紐を取り付けて持ち運びに用いている。しかし、ストラップや肩紐では、カメラを体からぶら下げるだけなのでカメラの位置が定まらず、カメラが人や物に接触しないよう常に相応の注意を払わなければならない。
【０００５】
そのため、カメラに硬質の把手を取り付けたいという要求がある。カメラ本体に外部部品を取り付けられる部位は限られており、把手を取り付けても撮影時に邪魔にならない取り付け部位としては第一に三脚ネジ穴が考えられる。しかし、把手を取り付けると当然三脚は取り付けられないこととなる。そこで、小型三脚と把手が一体となったものが望まれる。
【０００６】
この問題を解決するべく、本願出願人は小型の把手付三脚を出願した。この把手付三脚は、孔が設けられた天板の下面の３端にそれぞれ脚を備え、脚のうち２本に把手が掛け渡されていて、三脚ネジを天板の下方から孔に通してカメラ本体の三脚ネジ穴にネジ締めしてカメラ下面に装着するものである。
【０００７】
この把手付三脚をカメラ下面に装着すると、三脚に備わる把手を持ち手としてカメラを気軽に持ち運べ、そのまま地面や台面に載置して三脚撮影を行うことができる。この把手付三脚は、軽量、安価に作製することができ、使い勝手が非常に良いため重宝されている。
【０００８】
しかし、この把手付三脚はカメラを横にして撮影するヨコ位置撮影が前提とされており、カメラを縦にして垂直方向を広く撮るタテ位置撮影に利用することは想定されていなかった。また、３本の脚のうち１本を調整脚として高さ調整をできるようにし、台面に対して仰角、俯角を持たせることができる態様の三脚も開示されているが、脚が短いため仰角、俯角の設定範囲に限度があった。
【特許文献１】特開２００２−１３９７９０号公報
【発明の開示】
【発明が解決しようとする課題】
【０００９】
そこで本発明が解決しようとする課題は、小型軽量で安定性がよく、持ち運び用把手としても用いうる小型のカメラ用把手付三脚であって、特に多様な撮影姿勢を持たせることができるカメラ用把手付三脚を提供することにある。
【課題を解決するための手段】
【００１０】
上記課題を解決するため本発明のカメラ用把手付三脚は、
天板と前脚部と後脚部からなり、前脚部は前脚と前脚ロック機構で形成され後脚部は後脚と後脚ロック機構と把手で形成されており、孔が設けられた天板の一側面に１本の前脚と２本の後脚がそれぞれ回動可能に天板に軸支されて備わっており、後脚の回転軸が同一直線上に位置し後脚に棒体が掛け渡されて把手となっており、後脚に後脚の開度を固定する後脚ロック機構が備えられており、前脚に脚の開度を固定する前脚ロック機構が備えられており、前脚に孔が設けられていて、三脚ネジを天板もしくは前脚に設けられた孔に通してカメラ本体の三脚ネジ穴にネジ締めしてカメラ下面に装着し、天板にカメラを装着した場合は前脚および後脚が接地し、前脚にカメラを装着した場合は後脚部もしくは後脚部と天板の端部が接地してカメラを固定することを特徴とする。
【００１１】
天板は三角形やＴ字型などに形成され、三頂点にそれぞれ前脚と２本の後脚が配されている。前脚及び後脚は上端が回転軸を介してそれぞれ回動可能に天板に軸支されている。回転軸付近にそれぞれの脚の回動を規制するロック機構が備わっている。ロック機構の操作部は締め込みネジや締め込みレバー等、片手で容易に操作できる形態のものとし、操作部を操作することで回転軸を締め込んで脚を固定する物であればよい。２本の後脚には把手が掛け渡されており、カメラを装着した際にカメラを持ち運ぶ持ち手となっている。
天板と前脚にはそれぞれ孔が穿たれており、天板と前脚のどちらにもカメラを装着することができるようになっている。
【００１２】
本発明のカメラ用把手付三脚は、通常は三脚ネジを天板の孔に通してカメラの底面に装着し、カメラと一体として携帯する。本発明の三脚は構造が非常に簡素であるので、小型軽量に形成できる。したがってカメラと共に持ち運ぶことがほとんど苦にならない。
カメラをカメラバッグ等に収納して携行する場合は、前脚と後脚を天板の下面に沿わせるように収納すると、把手付三脚を非常に薄くすることができ、スペースを取らないため、既製カメラバッグにも不都合なく収納できる。
裸体のカメラを持ち運ぶ際は、後脚に掛け渡された把手を握ってカメラを簡単に持ち運ぶことができる。この場合は、前脚を天板下面に折りたたみ、後脚は天板にほぼ垂直としてロックで固定し、後脚だけを立てた状態で使用する。
カメラ本体は通常、箱体で取っ掛かりがなく、持ち運びに適さない形体だが、本発明のカメラ用把手付三脚をカメラ本体に装着すると、カメラ用把手付三脚がカメラの持ち手として機能し、非常に持ち運びがしやすくなる。また、把手によって持ち運びを行うと、カメラ本体が常に手先に位置するため、カメラを人や物に接触させる危険が低減される。
【００１３】
手持ちでカメラ撮影を行う場合は、本発明のカメラ用把手付三脚を装着したままカメラを手に持って撮影する。この際は、脚を天板の下面に沿わせるように畳んで使用する。本発明の把手付三脚は小型軽量であるため、撮影時も殆ど邪魔にならない。
三脚撮影を行う際は、本発明の三脚を天板の孔を通してカメラに装着したまま、三脚の脚を立ててカメラを地面や適当な高さの台に載置し、３本の脚でカメラを支持固定して撮影を行う。本発明の三脚は３本の脚でカメラを支持するため、台面が平らでない場合も安定に固定することができる。
また、前脚と後脚は天板に回動自在に接続されているため、それぞれの脚の開度で脚の高さを調整することができる。脚が天板に対して直角の状態が最も脚の高さが高く、脚を回動して傾けるに従って脚の高さが低くなる。任意の角度でロック機構を締め込んで固定すると、任意の高さの脚とすることができる。したがって、前脚と後脚の高さを違えることで、傾斜のある台面上に載置して光学軸を平行にして撮影を行ったり、水平な台面に載置してローアングル、ハイアングルで撮影することができる。
本発明の把手付三脚は小型で目立たないため、ショーケースにカメラをディスプレイする際にも便利に利用することができる。
【００１４】
なお、天板に設けられる孔を長孔とすると、カメラ本体の形状や三脚ネジ穴の位置に合わせて三脚ネジを通す位置を選択できるようになり、非常に都合がよい。
例えばコンパクトカメラの場合、三脚ネジ穴がカメラの端についていることが多く、三脚の中央の孔に三脚ネジを通してカメラに取り付けると、カメラの重心バランスが悪くなることがある。また、カメラに大型のレンズを取り付けた場合、カメラの重心が三脚ネジ穴より前方に遷移して、中央の孔にカメラを取り付けると三脚の安定が悪くなることがある。
【００１５】
しかし、本態様のカメラ用把手付三脚では、カメラに取り付ける部位を適宜選択できるため、常に三脚の安定性を高くすることができる。コンパクトカメラに使用する場合はカメラに対して横方向に長い孔を設け、大型カメラに使用する際は縦方向に長い孔を設けると良い。さらに、長孔を枝孔を持つＴ字孔にすると、コンパクトカメラにも大型カメラにも使用できるようになり、適用の幅が広がる。Ｔ字の天板にＴ字の孔を設けたものは、使用上、デザイン上共に優れており重宝である。
【００１６】
一方、例えば台上に置かれた小型の被写体を斜め上から撮影する場合や、地面にカメラを設置して人物のポートレートを撮る場合など、台面の傾斜と希望するカメラの光学軸が大きく異なる場合は、本発明の三脚の前脚に備わった孔にカメラを装着して撮影を行う。カメラを前脚に備わった孔に装着した場合は、後脚の先端部と、天板の端部もしくは後脚の側面が接地して三脚とカメラを固定する。この場合、後脚部で三脚とカメラを支え、天板がほぼ直立して天板の上端に前脚部とカメラが位置するようになる。
【００１７】
通常、前脚とカメラの光学軸が平行になるようにカメラを装着する。接地している後脚に対して天板が回動自在になっており、前脚は天板に対して回動自在になっている。したがって、台面に対して前脚の角度が自由に設定できるため、前脚を回動させて前脚に装着されたカメラの光学軸角度を変え、ローアングルからハイアングルまで自在な三脚撮影を行うことができる。
例えば、後脚が台面に平行になっている場合、天板を後脚に対して垂直に固定し、前脚を天板に対して垂直に固定すると、後脚と前脚が平行になり、台面とカメラの光学軸を平行にして撮影を行うことができる。この状態から、前脚の開度を大きくしていくと、前脚の先端が上を向き、カメラも共に上を向くため、カメラの光学軸に仰角を持たせてローアングルでの撮影を行うことができる。逆に前脚の開度を小さくしていくと、前脚と共にカメラの光学軸が下向きになり、被写体を斜め上方から撮影できるようになる。
【００１８】
大型のカメラを使用する場合や、カメラに大型のレンズが装着されている場合は、カメラの姿勢を変えると重心位置が大きく変わり三脚が不安定になることがあるが、本発明の把手付三脚では、天板が後脚に対して自由に回動するようになっているため、カメラの重心位置に応じて天板の回動角を調整し、常に後脚の上方に重心を位置させることができる。したがって、常に安定した三脚撮影を行うことができる。
このように本発明のカメラ用把手付三脚では、天板と前脚の角度を調整することで、非常に自由にカメラの姿勢を変更することができ、極端なローアングルからハイアングルまで、安定して撮影できる角度の範囲が非常に大きい。
【００１９】
さらに、カメラを前脚に装着する際に、カメラを装着する向きを変えることでより自由な撮影をすることができる。例えば、前脚が地面に対して垂直になっている状態で、カメラを縦にしカメラの底面を鉛直にして前脚に装着すると、タテ位置での撮影を行うことができる。この状態から、三脚ネジを中心としてカメラの装着角度を３６０°変更できるので、タテ位置でのアオリ撮影なども可能である。
【００２０】
なお、天板の先端に突起を設け、突起を介して前脚を接続すると、前脚の回動可能な範囲が広がると同時に、カメラを装着した際にカメラと天板の間に距離を作ることができ、カメラと天板が干渉しにくくなるため、より多様な撮影姿勢をとることができ便利である。
また、本発明のカメラ用把手付三脚は前脚にカメラを装着して三脚撮影を行う際に接地する部位に石突きを備えると、より確実に台面に固定することができるので便利である。後脚のロック機構を締め込みネジとし、締め込みネジのネジ頭が接地して石突きの役割を果たすようにすると構造が簡素になり具合がよい。
【発明の効果】
【００２１】
以上のように本発明のカメラ用把手付三脚によれば、小型軽量でカメラと一体として携帯しても邪魔にならず、任意の台に設置した際に台の高さや台面の形状に合わせてカメラを非常に自由な撮影姿勢で安定に固定することができ、把手としても利用できるカメラ用把手付三脚を提供することができる。
【発明を実施するための最良の形態】
【００２２】
以下、本発明について実施例に基づき図面を参照して詳細に説明する。
図１は本発明の１実施例におけるカメラ用把手付三脚の斜視図である。Ｔ字型に形成された天板１にＴ字型のＴ字孔２が穿設されており、天板１の前端に突起３が設けられている。突起３にはボルト４が貫通しており、Ｕ字型の棒体がボルト４に軸支されて前脚５を形成している。ボルト４の先端にネジが切られておりネジ部に蝶ネジ６が螺合している。前脚５とボルト４により孔７が形成されている。天板１の後部は両翼の端部が直角に折り曲げられており、それぞれに直棒体の後脚８が締め込みネジ９に軸支されて備わっている。締め込みネジ９は一端がネジ頭１０になっており、他端の先端にネジが切られていてナットが配されている。後脚８には天板１に平行に把手１１が掛け渡されている。
【００２３】
前脚５はボルト４に軸支されて回動自在になっており、蝶ネジ６を締め込むと開度が固定される。後脚８も同様に締め込みネジ９に軸支されていて、ネジ頭１０を操作して開度を固定、解放することができる。把手１１と天板１の間には指を入れられる間隙があり、把手１１を手で握ることができるようになっている。
本実施例のカメラ用把手付三脚は、天板１に設けられたＴ字孔２もしくは前脚５の孔６にカメラの三脚ネジを通してカメラの底面に装着する。
【００２４】
図２は本実施例のカメラ用三脚の天板にカメラを装着した状態を示す斜視図である。
Ｔ字孔２の中央部に天板１の下方から三脚ネジ２０が通されており、天板１のの上面にパッキン２１を介してカメラ２２が装着されている。図中では前脚５は天板１に垂直な状態で蝶ネジ６に固定されており、後脚８は天板１に対して約１２０°開いた状態で締め込みネジ９に固定されていて、前脚５と後脚８の高さが等しくなっている。この状態で本実施例のカメラ用把手付三脚とカメラ２２を水平な台面に載置すると、カメラの光学軸を水平にしてカメラを固定し、三脚撮影を行うことができる。
この状態から前脚５の開度を大きくしていくと、前脚５の高さが小さくなる。適当な角度で蝶ネジ６を締め、台面に載置すると、後脚８より前脚５の方が高さが小さくなり、天板１およびカメラ２２の光学軸に俯角が付く。反対に、後脚８の開度を大きくしていくと、後脚８の高さが小さくなり、カメラ２２の光学軸に仰角を与えて三脚撮影を行うことができる。
【００２５】
手持ちでカメラ撮影を行う際は、前脚５および後脚８を天板１に添わせるように天板１下面に収納し、本発明のカメラ用把手付三脚をカメラ２２に装着したままカメラ本体を手に持って撮影を行う。前脚５と後脚８を天板１下面に収納すると、カメラ用把手付三脚がコンパクトになり撮影の邪魔にならない。
また、カメラ本体をカメラバッグやカメラケースに格納して保管、携帯する際も本実施例の三脚を取り付けたままバッグに入れることができる。本実施例の三脚は小型で簡素な構造であり、安価に製造できるため、カメラ１体に三脚１個を常時装着して、カメラと一体として格納、携帯、撮影に用いると良い。例えば大型のレンズを装備したカメラ等をショーケースやコレクションケースにディスプレイする際にカメラを水平に保つ架台として利用しても便利である。
【００２６】
カメラを携行するときは、前脚５を収納し、後脚８を天板１にほぼ垂直に立てて締め込みネジ９により固く固定し、後脚８に備わった把手１１を手に握って持ち運ぶ。本実施例の三脚は、箱体で取っ手がないカメラの把手として機能し、カメラ２２の把持が簡単になる。把手を持ってカメラを携帯するとカメラが常に手先に位置するため、人や物にカメラを接触させる危険が減り、他人とのトラブルやカメラの損傷を回避することができる。
【００２７】
さらに、本実施例のカメラ用把手付三脚は、カメラを前脚に備わった孔に装着すると、より多様な撮影姿勢で三脚撮影を行うことができる。
図３、図４、図５は本実施例のカメラ用把手付三脚の前脚にカメラを装着した状態を表す側方斜視図である。
図３に示したように、通常は前脚５とカメラの光学軸が平行になるように前脚５に備わった孔７の内側から三脚ネジ２０を通してカメラ２２を装着する。孔７にカメラ２２を装着して三脚撮影する際は、脚８の先端部とネジ頭１０が接地して三脚とカメラを支持する。
【００２８】
図３では、天板１が後脚部の接地面に対して約１２０°になっており、前脚５が天板１に対して約３０°になっている。その結果、カメラ２２の光学軸は俯角約３０°になっており、被写体を斜め上方から撮影する姿勢になっている。この状態から、前脚５の開度を変えて、カメラ２２の仰角俯角を自由に設定することができる。本実施例のカメラ用把手付三脚では、前脚５が接地している後脚部の角度姿勢に影響されず、前脚５を自由に回動させることができるため、カメラの光学軸を自由に設定することができる。
大型のレンズを装着しているときなどで、カメラ２２の姿勢を変えると重心位置が変化して三脚が不安定になる場合は、天板１の開度を調整して重心が後脚部の接地点の中央に位置するようにすればよい。
【００２９】
図４はカメラ２２の光学軸に極端な仰角を与えた状態を示している。この姿勢では、カメラ２２の重心が天板１の上面側に位置していて、後脚８が天板１の下面側に位置する通常の姿勢では三脚が天板１の上面側に転倒してしまう。そこで、天板１を後脚部の接地面に対して約２７０°の開度とし、天板１の上面側に後脚８が位置するように姿勢を変更し、安定を保持している。本実施例のカメラ用把手付三脚は後脚８が天板１に対してほぼ３６０°自由に回動するため、多様な姿勢で安定してカメラ２２を固定することができる。
【００３０】
また、本実施例のカメラ用把手付三脚では、タテ位置撮影も行うことができる。図５はタテ位置撮影を行うためにカメラを装着した状態を示している。後脚部の接地面に対して天板１が約１２０°になっており、前脚５は天板１に対して約３０°、接地面に対して鉛直になっている。この状態で、カメラ２２をタテにし、カメラ２２の底面を鉛直にして前脚５の上方から三脚ネジ２０を孔７に通してカメラ２２を装着する。この姿勢では、カメラ２２をタテ位置で固定し、タテ位置による三脚撮影を行うことができる。カメラ用把手付三脚をこの状態に固定し、三脚ネジ２０を中心としてカメラ２２を上下に回動すると、カメラ２２の光学軸に仰角俯角をつけ、タテ位置によるローアングル、ハイアングル撮影を行うこともできる。
その他、要求に応じて非常に様々な姿勢で三脚撮影を行うことができる。
【００３１】
以上説明した通り本発明のカメラ用把手付三脚は、非常に多様な姿勢でカメラを安定に固定して三脚撮影を行うことができるうえ、小型軽量でカメラと一体として携帯しても邪魔にならず、カメラの持ち手としても利用することができる。
【図面の簡単な説明】
【００３２】
【図１】本発明の１実施例におけるカメラ用把手付三脚の斜視図である。
【図２】本実施例のカメラ用三脚の天板にカメラを装着した状態を示す斜視図である。
【図３】本実施例のカメラ用把手付三脚の前脚にカメラを装着した状態を表す第一の側方斜視図である。
【図４】本実施例のカメラ用把手付三脚の前脚にカメラを装着した状態を表す第二の側方斜視図である。
【図５】本実施例のカメラ用把手付三脚の前脚にカメラを装着した状態を表す第三の側方斜視図である。
【図６】従来のカメラ用三脚を表す斜視図である。
【符号の説明】
【００３３】
１  天板    ２  Ｔ字孔    ３  突起    ４  ボルト    ５  前脚    ６  蝶ネジ    ７  孔    ８  孔脚    ９  締め込みネジ    １０  ネジ頭    １１  把手    ２０  三脚ネジ    ２１  パッキン    ２２  カメラ    ３０  Ｔ字板    ３１  固定脚    ３２  調節脚    ３３  ロック    ３４  Ｔ字孔
【図１】
2006011324.tif 000003
【図２】
2006011324.tif 000004
【図３】
2006011324.tif 000005
【図４】
2006011324.tif 000006
【図５】
2006011324.tif 000007
【図６】
2006011324.tif 000008